【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】  心室機能障害、心不全、自律神経失調又は内分泌系異常を治療するための方法であって、少なくとも１つの電極を患者の身体内において神経組織関連部位に備えつけるステップ、及び前記少なくとも１つの電極により電気刺激を印加して患者の心効率を改善するステップを含む方法。
【請求項２】  前記少なくとも１つの電極を備えつけるステップは、少なくとも１つの埋め込み電極を患者の脊椎に隣接させて配置するステップを更に含む請求項１の方法。
【請求項３】  前記少なくとも１つの電極を備えつけるステップは、少なくとも１つの電極を患者身体の外部に配置するステップを更に含む請求項１の方法。
【請求項４】  前記少なくとも１つの電極を備えつけるステップは、少なくとも１つの電極を患者身体の皮下腔内に配置するステップを更に含む請求項１の方法。
【請求項５】  前記電気刺激を印加するステップは、患者の１つ又は複数の所定生理学的パラメータをモニタするステップ、及び１つ又は複数の所定生理学的パラメータに基づいて電気刺激を調整するステップを更に含む請求項１の方法。
【請求項６】  請求項５の方法であって、更に心臓再同期療法を施すステップを含み、電気刺激を調整するステップは施した心臓再同期療法に基づいて電気刺激を調整するステップを含む方法。
【請求項７】  前記少なくとも１つの電極を備えつけるステップは、少なくとも１つの電極を患者身体の胴部分に関連する神経を含む部位に配置するステップを更に含む請求項１の方法。
【請求項８】  前記少なくとも１つの電極を備えつけるステップは、少なくとも１つの電極を少なくとも１つの胸椎骨を含む部位に備えつけるステップを更に含む請求項１の方法。
【請求項９】  前記少なくとも１つの電極を備えつけるステップは、少なくとも１つの電極をＴ１〜Ｔ１２範囲内の少なくとも１つの胸椎骨を含む部位に備えつけるステップを更に含む請求項１の方法。
【請求項１０】  前記少なくとも１つの電極を備えつけるステップは、少なくとも１つの電極を胸椎骨Ｔ１〜Ｔ１２を含む部位に備えつけるステップを更に含む請求項１の方法。
【請求項１１】  前記少なくとも１つの電極を備えつけるステップは、少なくとも１つの電極を少なくとも１つの胸部神経束を含む部位に備えつけるステップを更に含む請求項１の方法。
【請求項１２】  前記少なくとも１つの電極を備えつけるステップは、少なくとも１つの電極をＴ１〜Ｔ１２範囲内における少なくとも１つの胸部神経束を含む部位に備えつけるステップを更に含む請求項１の方法。
【請求項１３】  前記少なくとも１つの電極を備えつけるステップは、少なくとも１つの電極を胸部神経束Ｔ１〜Ｔ１２を含む部位に備えつけるステップを更に含む請求項１の方法。
【請求項１４】  前記少なくとも１つの電極を備えつけるステップは、少なくとも１つの電極を内在性心臓神経節に隣接させて配置するステップを更に含む、請求項１の方法。
【請求項１５】  前記少なくとも１つの電極を備えつけるステップは、心臓内又は脈管内神経刺激を実施するために少なくとも１つの電極を心臓又は脈管構造内に配置するステップを更に含む請求項１の方法。
【請求項１６】  前記少なくとも１つの電極は、埋め込み電極、皮膚電極及び皮下電極からなる群から選択される請求項１の方法。
【請求項１７】  心室機能障害、心不全、自律神経失調又は内分泌系異常を治療する装置であって、患者身体内の神経組織関連部位に配置される少なくとも１つの電極、及び心機能とエネルギー学の間の関係に基づいて患者の心効率を改善するために前記少なくとも１つの電極により電気刺激を印加する手段を含む装置。
【請求項１８】  前記少なくとも１つの電極は、患者の脊椎に隣接して配置される少なくとも１つの埋め込み電極を更に含む請求項１７の装置。
【請求項１９】  前記少なくとも１つの電極は、患者の外部に配置される請求項１７の装置。
【請求項２０】  前記少なくとも１つの電極は、患者身体の皮下腔内に配置される請求項１７の装置。
【請求項２１】  前記電気刺激を印加するための手段がは、患者の１つ又は複数の所定生理学的パラメータをモニタするための手段、及び前記１つ又は複数の所定生理学的パラメータに基づいて電気刺激を調整する手段を更に含む請求項１７の装置。
【請求項２２】  前記請求項２１の装置であって、心臓再同期療法を施すための手段を更に含み、前記電気刺激を調整するための手段は施した心臓再同期療法に基づいて電気刺激を調整する手段を更に含む装置。
【請求項２３】  前記少なくとも１つの電極は患者身体の胴部分に関連する神経を含む部位に配置される請求項１７の装置。
【請求項２４】  前記少なくとも１つの電極は少なくとも１つの胸椎骨を含む部位に配置される請求項１７の装置。
【請求項２５】  前記少なくとも１つの電極は、Ｔ１〜Ｔ１２範囲内の少なくとも１つの胸椎骨を含む部位に配置される請求項１７の装置。
【請求項２６】  前記少なくとも１つの電極は少なくとも１つの胸部神経束を含む部位に配置される請求項１７の装置。
【請求項２７】  前記少なくとも１つの電極は、Ｔ１〜Ｔ１２範囲内の少なくとも１つの胸部神経束を含む部位に配置される請求項１７の装置。
【請求項２８】  心室機能障害、心不全、自律神経失調又は内分泌系異常を治療する方法であって、患者身体内の神経組織関連部位に少なくとも１つの電極を備えつけるステップ、前記少なくとも１つの電極により電気刺激を印加し患者の心効率を改善するステップ、患者の１つ又は複数の所定生理学的パラメータをモニタするステップ、及び前記１つ又は複数の所定生理学的パラメータに基づいて電気刺激を調整するステップを含む前記方法。
【請求項２９】  患者身体内の神経組織関連部位に少なくとも１つの電極を備えつけるステップ、前記少なくとも１つの電極により電気刺激を印加し患者の心臓機能を改善するステップ、患者の１つ又は複数の所定生理学的パラメータをモニタするステップ、及び前記１つ又は複数の所定生理学的パラメータに基づいて電気刺激を調整するステップを含んでなる方法。
【請求項３０】  心室機能障害、心不全、自律神経失調又は内分泌系異常を治療する装置であって、患者身体内の神経組織関連部位に配置される少なくとも１つの電極、心機能とエネルギー学の間の関係に基づいて患者の心効率を改善するために前記少なくとも１つの電極により電気刺激を印加する手段、患者に取付けられ患者の１つ又は複数の所定生理学的パラメータをモニタするようにされる少なくとも１つのセンサ、及び前記１つ又は複数の所定生理学的パラメータに基づいて電気刺激を調整する手段を含む装置。
【請求項３１】  心室機能障害又は心不全を治療するための装置であって、患者身体内の神経組織関連部位に配置される少なくとも１つの電極、及び心機能とエネルギー学の間の関係に基づいて前記少なくとも１つの電極により電気刺激を印加し患者の心効率を改善するようにされるコントローラを含む装置。
【請求項３２】  前記少なくとも１つの電極は、胸部神経束Ｔ１〜Ｔ１２を含む部位に位置決められるようにされる請求項３１の装置。
【請求項３３】  前記少なくとも１つの電極は、内在性心臓神経節に隣接して位置決められるようにされる請求項３１の装置。
【請求項３４】  前記少なくとも１つの電極は、心臓内又は脈管内神経刺激を実施するために心臓又は脈管構造内に位置決めされる請求項３１の装置。
【請求項３５】  前記コントローラは、電気刺激を患者身体内の心臓血管系に送出するための駆動回路を含む請求項３１の装置。
【請求項３６】  前記駆動回路は、ペーシングパルスを送出するための回路を含む請求項３５の装置。
【請求項３７】  前記駆動回路は、高電圧刺激を送出するための回路を含む請求項３５の装置。
【請求項３８】  前記コントローラは、患者に生理活性剤を提供するための薬剤送出装置を含む請求項３１の装置。